(57)【要約】      （修正有）【課題】浮遊式構造物の船体内部の両端部にそれぞれ少なくとも１つの発電室を配置し、船体内部の中心部に少なくとも１つの燃料タンクを配置した浮遊式構造物を提供する。【解決手段】発電プラントが搭載された浮遊式構造物Ｆが開示される。発電プラントが搭載された浮遊式構造物は、浮遊式構造物の船体内部の両端部にそれぞれ配置される少なくとも１つの発電室１００及び船体内部の中心部に配置される少なくとも１つの燃料タンク２００を含む。【選択図】図２
2014088164.tif 000002
【特許請求の範囲】
【請求項１】
発電用プラントが搭載された浮遊式構造物において、
前記浮遊式構造物の船体内部の両端部にそれぞれ配置される少なくとも１つの発電室及び
前記船体内部の中心部に配置される少なくとも１つの燃料タンクを含む発電プラントが搭載された浮遊式構造物。
【請求項２】
前記発電室及び前記燃料タンクを前記船体内部に配置することで前記浮遊式構造物の重量中心を下げることを特徴とする請求項１に記載の発電プラントが搭載された浮遊式構造物。
【請求項３】
前記浮遊式構造物の両端部にはそれぞれバラストタンクが配置されることを特徴とする請求項１に記載の発電プラントが搭載された浮遊式構造物。
【請求項４】
前記バラストタンクには海水を満たしておき、前記燃料タンクで燃料が消耗されるとともに海水を排出させて前記浮遊式構造物の両端部の重量を減少させることを特徴とする請求項３に記載の発電プラントが搭載された浮遊式構造物。
【請求項５】
前記発電室上方のデッキ上には前記発電室で生産された電気を前記浮遊式構造物の外部に送電する少なくとも１つの送電塔が設けられることを特徴とする請求項１に記載の発電プラントが搭載された浮遊式構造物。
【請求項６】
前記発電室で発電に使用される燃料はＬＮＧであることを特徴とする請求項１に記載の発電プラントが搭載された浮遊式構造物。
【請求項７】
前記浮遊式構造物のデッキ上には前記燃料タンクに貯蔵されたＬＮＧを気化させて前記発電室に発電燃料として供給する気化器が設けられることを特徴とする請求項６に記載の発電プラントが搭載された浮遊式構造物。
【請求項８】
前記少なくとも１つの発電室と前記少なくとも１つの燃料タンクとが前記浮遊式構造物の船体内部に占める空間比率は３０：７０乃至５０：５０であることを特徴とする請求項１に記載の発電プラントが搭載された浮遊式構造物。
【請求項９】
前記発電室ではＭＥ−ＧＩエンジンを主エンジンとして発電することを特徴とする請求項１に記載の発電プラントが搭載された浮遊式構造物。
【請求項１０】
発電用プラントが搭載された浮遊式構造物の配置構造において、
発電室と燃料タンクとを前記浮遊式構造物のデッキ下方に配置し、前記デッキ下方の両端部にそれぞれ前記発電室を配置し、中心部に前記燃料タンクを配置し、前記発電室と前記燃料タンクとの空間比率は３０：７０乃至５０：５０であることを特徴とする発電プラントが搭載された浮遊式構造物の配置構造。
【請求項１１】
前記発電室上方のデッキ上には前記発電室で生産された電気を送電する送電塔が設けられることを特徴とする請求項１０に記載の発電プラントが搭載された浮遊式構造物の配置構造。
【請求項１２】
前記浮遊式構造物の両端部にはそれぞれバラストタンクを配置し、前記バラストタンクには海水を満たしておき、前記燃料タンクで燃料が消耗されるとともに海水を排出させて前記浮遊式構造物の両端部の重量を減少させることを特徴とする請求項１０に記載の発電プラントが搭載された浮遊式構造物の配置構造。
【発明の詳細な説明】
【技術分野】
【０００１】
本発明は、発電プラントが搭載された浮遊式構造物及びその配置構造に関し、さらに詳しくは浮遊式構造物の船体内部の両端部にそれぞれ少なくとも１つの発電室を配置して、船体内部の中心部に少なくとも１つの燃料タンクを配置した浮遊式構造物に関する。
【背景技術】
【０００２】
天然ガス（ｎａｔｕｒａｌ  ｇａｓ）とはメタン（ｍｅｔｈａｎｅ）を主成分とし、少量のエタン（ｅｔｈａｎｅ）、プロパン（ｐｒｏｐａｎｅ）などを含む化石燃料であって、近年、様々な技術分野で低公害エネルギー源として脚光を浴びている。
【０００３】
天然ガスは、ガス状態で運搬されることもあり、液化天然ガス（ＬＮＧ）、即ち、液化された状態でＬＮＧ輸送船に貯蔵されたまま遠くの消費場所に運搬されることもある。液化天然ガスは天然ガスを極低温（約−１６３℃以下）に冷却して得られるもので、ガス状態の天然ガスに比べその体積が約１／６００に減るため、海上を経由した遠距離運搬に非常に適している。
【０００４】
近年、陸地に埋もれたエネルギーの枯渇に伴い、様々な海洋資源の開発が活発になっているが、海上で原油や天然ガスを採掘するための油井及びガス井の確保及び開発も、各国で先を争うように進められている。
【０００５】
そのため、海上でＬＮＧを生産するための設備としてＬＮＧ  ＦＰＳＯ（Ｆｌｏａｔｉｎｇ  Ｐｒｏｄｕｃｔｉｏｎ  Ｓｔｏｒａｇｅ  ａｎｄ  Ｏｆｆｌｏａｄｉｎｇ）やＬＮＧ  ＦＳＲＵ（Ｆｌｏａｔｉｎｇ  Ｓｔｏｒａｇｅ  ａｎｄ  Ｒｅｇａｓｉｆｉｃａｔｉｏｎ  Ｕｎｉｔ）のような浮遊式海上構造物も多く開発されている。
【０００６】
ＬＮＧは、比較的安価で公害を多く発生させないため、発電燃料に適しているといえる。
【０００７】
従来、ＬＮＧを燃料に使用する発電プラントは、主に陸上、特に原料の需給が容易で用地確保費用が少なくて済む海岸近くに設置されることが一般的であった。
【０００８】
発電プラントを陸上に固定した形態から離れ、プラント用地の購入及び基礎工事の費用を低減しつつ、原料需給が便利な場所や電力供給が必要な場所に適宜に配置して発電できる船舶や海上構造物に発電プラントを搭載する技術が求められる。
【０００９】
そのうちバージ船のような浮遊式海上構造物に発電プラントを設け、海上構造物自体に必要な電気を供給する技術、または海上で多くの電気を生産して陸上に送電する技術に対する要求も高くなっている。
【００１０】
図１には発電プラントを搭載したバージ船１を概略的に示した。バージ船１の船体１１に燃料タンク１３が搭載され、バージ船１のデッキ上に発電プラントの各種設備２０が搭載される形態である。
【００１１】
このように、バージ船のような浮遊式海上構造物に発電プラントを設置する場合、発電及び送電設備はスパークや漏電、短絡などによって火災を引き起こす危険性があるため、浮遊式海上構造物には発電プラント以外にも火災の発生を防止するための種々の安全装置が設置される。
【００１２】
さらに、ＬＮＧ  ＦＰＳＯのような原油又はガスをボーリング・生産・精製・貯蔵する浮遊式海上構造物は、爆発性ガスを扱う海上構造物であるため、爆発性ガスの流出事故による海上構造物の火災・爆発の危険性はさらに高くなり、これに対応するための種々の安全設備をさらに備えるべきである。
【００１３】
このように、従来の爆発性ガスや物質を取り扱う浮遊式海上構造物は爆発を防止するための種々の追加設備を必要とし、そのため、浮遊式海上構造物のデッキ上には発電プラントの各種設備に、種々の安全設備まで加えられることになり、他の設備を設置する空間や作業空間がなくなることもある。
【００１４】
また、発電室と送電施設などの発電プラントと、爆発を防止するための追加設備とがいずれも上部（ｔｏｐ  ｓｉｄｅ）に搭載されることによって浮遊式海上構造物そのものの荷重が増加し、浮遊式海上構造物の構造に問題が発生する恐れが多く、重量中心が上部に集中することによって浮遊式海上構造物の復原及び均衡維持も困難なものとなり得る。
【００１５】
このような問題があるため、海上構造物に大型の発電プラントを搭載して多くの電力を生産することは困難で、海上構造物自体に必要な電気を供給する程度の小規模発電のみが可能である。
【発明の概要】
【発明が解決しようとする課題】
【００１６】
本発明は、このような問題を解決するためのもので、発電室を海上構造物のデッキ下方に配置し、船体内部に発電室と燃料タンクとが海上構造物の内部で均衡をとって配置される浮遊式構造物を提供することで、重量中心を下げ浮遊式構造物のデッキ上に空間を確保することができるようにすることを目的とする。
【課題を解決するための手段】
【００１７】
本発明の一側面によれば、発電用プラントが搭載された浮遊式構造物において、前記浮遊式構造物の船体内部の両端部にそれぞれ配置される少なくとも１つの発電室及び前記船体内部の中心部に配置される少なくとも１つの燃料タンクを含む発電プラントが搭載された浮遊式構造物が提供される。
【００１８】
前記発電室及び前記燃料タンクを前記船体内部に配置することで前記浮遊式構造物の重量中心を下げることができる。
【００１９】
前記浮遊式構造物の両端部にはそれぞれバラストタンクが配置され得る。
【００２０】
前記バラストタンクには海水を満たしておき、前記燃料タンクで燃料が消耗されるとともに海水を排出させて前記浮遊式構造物の両端部の重量を減少させることができる。
【００２１】
前記発電室上方のデッキ上には前記発電室で生産された電気を前記浮遊式構造物の外部に送電する少なくとも１つの送電塔が設けられ得る。
【００２２】
前記発電室で発電に使用される燃料はＬＮＧである場合がある。
【００２３】
前記浮遊式構造物のデッキ上には前記燃料タンクに貯蔵されたＬＮＧを気化させて前記発電室に発電燃料として供給する気化器が設けられ得る。
【００２４】
前記少なくとも１つの発電室と前記少なくとも１つの燃料タンクとが前記浮遊式構造物の船体内部に占める空間比率は３０：７０乃至５０：５０である場合がある。
【００２５】
前記発電室ではＭＥ−ＧＩエンジンを主エンジンとして発電できる。
【００２６】
本発明の他の側面によれば、発電用プラントが搭載された浮遊式構造物の配置構造において、発電室と燃料タンクとを前記浮遊式構造物のデッキ下方に配置し、前記デッキ下方の両端部にそれぞれ前記発電室を配置し、中心部に前記燃料タンクを配置し、前記発電室と前記燃料タンクとの空間比率は３０：７０乃至５０：５０であることを特徴とする発電プラントが搭載された浮遊式構造物の配置構造が提供される。
【００２７】
前記発電室上方のデッキ上には前記発電室で生産された電気を送電する送電塔が設けられ得る。
【００２８】
前記浮遊式構造物の両端部にはそれぞれバラストタンクを配置し、前記バラストタンクには海水を満たしておき、前記燃料タンクで燃料が消耗されるとともに海水を排出させて前記浮遊式構造物の両端部の重量を減少させることができる。
【発明の効果】
【００２９】
本発明の発電プラントが搭載された浮遊式構造物は、浮遊式構造物の船体内部の両端部にそれぞれ少なくとも１つの発電室と、船体内部の中心部に少なくとも１つの燃料タンクとを配置することで、重量中心を下げて浮遊式構造物のデッキ上に空間を確保することができる。また、浮遊式構造物の両端部にバラストタンクを設け、発電機の駆動によって燃料タンクに貯蔵された燃料が消耗されるとともに減少する重量に合わせてそれぞれのバラストタンクの水位を調節することによって容易に浮遊式構造物の均衡を維持させることができる。
【図面の簡単な説明】
【００３０】
【図１】発電プラントを搭載したバージ船を概略的に示す図である。
【図２】本発明の一実施形態による発電用プラントが搭載された浮遊式構造物の側断面を概略的に示す図である。
【発明を実施するための形態】
【００３１】
本発明と本発明の動作上の利点及び本発明の実施によって達成される目的とを十分に理解するためには本発明の好ましい実施形態を例示する添付図面及び添付図面に記載された内容を参照すべきである。
【００３２】
以下、添付された図面を参照して本発明の好ましい実施形態を説明することによって、本発明を詳しく説明する。
【００３３】
図２は、本発明の一実施形態による発電プラントが搭載された浮遊式構造物Ｆの側断面を概略的に示す図である。
【００３４】
図２に示すように、本発明の一実施形態による発電プラントが搭載された浮遊式構造物Ｆは、浮遊式構造物Ｆの船体内部の両端部にそれぞれ配置される少なくとも１つの発電室１００と、船体内部の中心部に配置される少なくとも１つの燃料タンク２００をと含む。
【００３５】
本実施形態で浮遊式構造物Ｆとは、海水面に浮遊する浮遊式海洋プラットフォーム（Ｏｆｆｓｈｏｒｅ  ｐｌａｔｆｏｒｍ）を称し、それ自体の内部に推進機を備えるもの、または推進機を有することなく海上でタグボートに引かれる浮遊式海洋プラットフォームのいずれも含み、一例としてバージ船（ｂａｒｇｅ）が挙げられる。
【００３６】
本実施形態は発電室１００及び燃料タンク２００を船体内部に配置することで浮遊式構造物Ｆの重量中心を下げることができる。
【００３７】
発電室１００には主エンジン１１０と発電機などの重い発電設備とが設けられるが、このように重い発電設備をデッキＤ上ではなく船体内部の両端部に備えた発電室１００内部に配置することで、浮遊式構造物Ｆの重量中心を船体下部に下げて安全性を高めることができ、船体の均衡維持が容易である。また、浮遊式構造物Ｆの一側に偏ることなく両端部にそれぞれ発電室１００を配置することによって、発電容量を増やすために発電室１００内部のエンジンや発電機をさらに設置する時も浮遊式構造物Ｆの均衡を維持することが容易である。
【００３８】
浮遊式構造物Ｆの両端部にはそれぞれバラストタンク（ｂａｌｌａｓｔ  ｔａｎｋ）３００が配置され得る。
【００３９】
バラストタンク３００には海水を満たしておき、燃料タンク２００で燃料が消耗されるとともに海水を排出させて浮遊式構造物Ｆの両端部の重量を減少させることができる。
【００４０】
本実施形態では、重い発電室１００を二つに分け船体内部の両端部に配置し、その中心に燃料タンク２００を配置するため、船尾や船首の船体の均衡維持（ｔｒｉｍ）に有利に働く。すなわち、発電の進行に連れて燃料タンク２００の荷重が変化しても、船尾や船首部は発電室１００によりその重さに変化が無いので、船体が傾かない。
【００４１】
しかし、燃料タンク２００の燃料が大量に消費された際には、発電室１００の在る船体の両端部にのみ荷重が集中され、船体が変形する可能性もある。これを防止し船体の安全性を確保するため、浮遊式構造物Ｆの両端部に別のバラストタンクを設ける。
【００４２】
上述のように発電室１００には重い発電設備が設けられるが、発電によって燃料タンク２００に貯蔵された燃料をすべて消費した場合、浮遊式構造物Ｆの両端部に配置された発電室１００の重量は依然として重いのに対して、浮遊式構造物Ｆの中心部は軽くなる。このような状態では浮遊式構造物Ｆの両端部にのみ重量が集中することになり、船体の変形や酷い場合は船体の中心部に亀裂が発生して２つに分かれて破壊される危険がある。
【００４３】
このような危険を防止するために、浮遊式構造物Ｆの両端部にそれぞれバラストタンク３００を配置できる。バラストタンク３００に海水を満たしておき、燃料タンク２００に燃料が消耗される時にバラストタンク３００内の海水を排出させて浮遊式構造物Ｆの両端部の重量を次第に減少させることによって両端部にのみ重量が集中する問題を解決する。
【００４４】
従来の浮遊式海上構造物や船舶などに設けられるように、船体の側壁と下部とのバラストタンク（図示せず）も均衡を維持するために共に配置され得る。例えば、船体内部で燃料タンク２００外部の側壁と下部にバラストタンク（図示せず）が配置され得る。
【００４５】
発電室１００上方のデッキＤ上には発電室１００で生産された電気を浮遊式構造物Ｆの外部に送電する少なくとも１つの送電塔４００が設けられ得る。
【００４６】
送電塔４００は発電容量を考慮して設けることができ、発電室１００上方のデッキＤ上に設けることで送電塔４００のメインケーブルを発電室１００にダイレクトに連結することができ、生産された電気の送電距離を減らし、浮遊式構造物Ｆに設けられる高圧送電線を最小化できる。
【００４７】
発電室１００で発電に使用される燃料はＬＮＧである場合がある。
【００４８】
浮遊式構造物ＦのデッキＤ上には燃料タンク２００に貯蔵されたＬＮＧを気化させて発電室１００に発電燃料として供給する気化器が設けられ得る。
【００４９】
少なくとも１つの発電室１００と少なくとも１つの燃料タンク２００が浮遊式構造物Ｆの船体内部に占める空間比率は３０：７０乃至５０：５０である場合があるが、さらに好ましくは、４０：６０である場合がある。
【００５０】
発電室１００ではＭＥ−ＧＩエンジンを主エンジン１１０として発電できる。
【００５１】
ＭＥ−ＧＩエンジンは、船舶に使用され得るエンジンで、窒素酸化物（ＮＯｘ）と硫酸化物（ＳＯｘ）との排出量を低減するために開発されて使用されているＬＮＧ運搬船の高圧天然ガス噴射エンジンである。ＭＥ−ＧＩエンジンは極低温に耐える貯蔵タンクに ＬＮＧ（Ｌｉｑｕｅｆｉｅｄ  Ｎａｔｕｒａｌ  Ｇａｓ）を貯蔵して運搬させるＬＮＧ運搬船などのような海上構造物に設置されることができ、天然ガスを燃料として使用することができ、その負荷に応じて約１５０−４００ｂａｒａ（絶対圧力）程度の高圧のガス供給圧力が求められる。
【００５２】
ＭＥ−ＧＩエンジンのような高圧天然ガス噴射エンジンを搭載した海上構造物の場合も、ＬＮＧ貯蔵タンクで発生する蒸発ガス（Ｂｏｉｌ  Ｏｆｆ  Ｇａｓ；ＢＯＧ）を処理するためには再液状化（Ｒｅｌｉｑｕｅｆａｃｔｉｏｎ）装置が依然として必要である。ＭＥ−ＧＩエンジンは同レベルの出力のディーゼルエンジンに比べ汚染物質の排出量を二酸化炭素は２３％、窒素化合物は８０％、硫化合物は９５％以上低減できる次世代の環境保全的なエンジンとして脚光を浴びている。
【００５３】
本実施形態では浮遊式構造物ＦにこのようなＭＥ−ＧＩエンジンを発電室１００に配置して主エンジン１１０として用いて発電する。発電室１００には電磁気誘導を利用して交流電流を発生させるオルタネータを使用する発電機が主エンジン１１０のシャフト（ｓｈａｆｔ）に設けられ得る。
【００５４】
本発明の他の側面によれば、発電用プラントが搭載された浮遊式構造物Ｆの配置構造において、発電室１００と燃料タンク２００とを浮遊式構造物ＦのデッキＤ下方に配置し、デッキＤ下方の両端部にそれぞれ発電室１００を配置し、中心部に燃料タンク２００を配置し、発電室１００と燃料タンク２００との空間比率は３０：７０乃至５０：５０であることを特徴とする発電プラントが搭載された浮遊式構造物Ｆが提供される。
【００５５】
発電室１００上方のデッキＤ上には発電室１００で生産された電気を送電する送電塔４００が設けられ得る。
【００５６】
浮遊式構造物Ｆの両端部にはそれぞれバラストタンク３００を配置し、バラストタンク３００には海水を満たしておき、燃料タンク２００で燃料が消耗されるとともに海水を排出させて浮遊式構造物Ｆの両端部の重量を減少させることができる。
【００５７】
以上で述べたように、本実施形態による発電プラントが搭載された浮遊式構造物Ｆは、浮遊式構造物Ｆの船体内部の両端部にそれぞれ少なくとも１つの発電室１００と、船体内部の中心部に少なくとも１つの燃料タンク２００とを配置することで、重量中心を下げて浮遊式構造物ＦのデッキＤ上に空間を確保することができる。
【００５８】
また、浮遊式構造物Ｆの両端部にバラストタンク３００を配置し、発電機の駆動によって燃料タンク２００に貯蔵された燃料が消耗されるとともに減少する重量に合わせてそれぞれのバラストタンク３００の水位を調節することによって容易に浮遊式構造物Ｆの均衡を維持させることができる。
【００５９】
発電室１００を船体内部に配置して重量中心を下げることで浮遊式構造物Ｆの構造又は均衡維持に対する恐れなく大型化した発電設備を搭載して大量発電を行うことができる。
【００６０】
また、デッキＤ上に十分な空間が確保されるので、他の設備をデッキＤ上に配置する時、発電設備と発電に必要な各種配管とによって空間に制約されることなく作業効率性を考慮して配置できる。
【００６１】
また、デッキＤ上に十分な作業空間が確保されることができ、作業者の作業環境が大幅に改善され、これによって作業中に発生する事故の危険を減らすことができることが期待される。
【００６２】
このような本発明は上記実施形態に限られるものでなく、本発明の思想及び範囲から逸脱することなく、様々な修正及び変形が可能であることは本発明の属する技術分野における通常の知識を有する者には自明である。したがって、そのような修正例又は変形例は本発明の特許請求の範囲に属するものである。
【符号の説明】
【００６３】
Ｆ：浮遊式構造物
Ｄ：デッキ
１００：発電室
１１０：主エンジン
２００：燃料タンク
３００：バラストタンク
４００：送電塔
【図１】
2014088164.tif 000003
【図２】
2014088164.tif 000004